(57)【要約】【課題】熱サイクルに用いられる加熱流体の性状を判別できる流体性状判別装置を提供する。【解決手段】制御装置（温度取得手段）１００は、加熱流体熱サイクル５を循環する加熱流体ＨＭの温度を取得する。制御装置（回転検出手段）１００は、加熱流体ＨＭを循環させるポンプ５１の回転数を検出する。制御装置（電源検出手段）１００は、ポンプ５１の電圧値または電流値を検出する。記憶手段１００ａは、加熱流体ＨＭの温度、ポンプ５１の回転数、およびポンプ５１の電圧値または電流値に対応する加熱流体ＨＭの性状を情報として予め記憶する。制御装置（判定手段）１００は、取得された温度、検出された回転数、および検出された電圧値または電流値に基づき、記憶手段１００ａに記憶された情報を参照して加熱流体ＨＭの性状を判定する。【選択図】図１
2014126294.tif 000002
【特許請求の範囲】
【請求項１】
ポンプ（５１）が循環させる加熱流体（ＨＭ）と２次側媒体（ＨＷ）とを熱交換して２次側媒体（ＨＷ）を加熱する２次側熱交換器（５５、７５）と、を備える熱サイクル（５）に用いられる流体性状判定装置であり、
前記熱サイクル（５）を循環する加熱流体（ＨＭ）の温度を取得する温度取得手段（１００）と、
前記ポンプ（５１）の回転数を検出する回転検出手段（１００）と、
前記ポンプ（５１）に印加される電圧値または前記ポンプ（５１）に供給される電流値を検出する電源検出手段（１００）と、
前記温度、前記回転数、および前記電圧値または前記電流値に対応する加熱流体（ＨＭ）の性状を情報として予め記憶する記憶手段（１００ａ）と、
前記温度取得手段（１００）により取得された前記温度、前記回転検出手段（１００）により検出された前記回転数、および前記電源検出手段（１００）により検出された前記電圧値または前記電流値に基づき、前記情報を参照して加熱流体（ＨＭ）の性状を判定する判定手段（１００）と、
を備えることを特徴とする流体性状判定装置。
【請求項２】
前記ポンプ（５１）を所定回転数で運転するポンプ制御手段（１００）を更に備え、
前記電源検出手段（１００）は、前記ポンプ制御手段（１００）により前記ポンプ（５１）を前記所定回転数で運転させたとき、前記温度取得手段（１００）により検出された加熱流体（ＨＭ）の温度が所定の第１温度である場合に、前記電流値または前記電圧値を第１検出値として検出し、
前記電源検出手段（１００）は、前記ポンプ制御手段（１００）により前記ポンプ（５１）を前記所定回転数で運転させたとき、前記温度取得手段（１００）により検出された加熱流体（ＨＭ）の温度が前記所定の第１温度とは異なる所定の第２温度である場合に、前記電流値または前記電圧値を第２検出値として検出し、
前記判定手段（１００）は、前記第１検出値と前記第２検出値の差を前記所定の第１温度と前記所定の第２温度の差で除算して得られた変化率に基づき、前記情報を参照して、加熱流体（ＨＭ）の性状を判定することを特徴とする請求項１に記載の流体性状判定装置。
【請求項３】
前記ポンプ（５１）を所定回転数で運転するポンプ制御手段（１００）を更に備え、
前記電源検出手段（１００）は、前記ポンプ制御手段（１００）により前記ポンプ（５１）を前記所定回転数で運転させたとき、前記温度取得手段（１００）により検出された加熱流体（ＨＭ）の温度が所定の第１温度である場合に、前記電流値または前記電圧値を第１検出値として検出し、
前記判定手段（１００）は、前記第１検出値と前記情報とを比較して加熱流体（ＨＭ）の第１性状を判定することを特徴とする請求項１に記載の流体性状判定装置。
【請求項４】
前記電源検出手段（１００）は、前記ポンプ制御手段（１００）により前記ポンプ（５１）を前記所定回転数で運転させたとき、前記温度取得手段（１００）により検出された加熱流体（ＨＭ）の温度が前記所定の第１温度とは異なる所定の第２温度である場合に、前記電流値または前記電圧値を第２検出値として検出し、
前記判定手段（１００）は、前記第２検出値と前記情報とを比較して加熱流体（ＨＭ）の第２性状を判定し、
前記判定手段（１００）は、前記第１性状と前記第２性状が一致する場合に、加熱流体（ＨＭ）の性状の判定が正しいと判定することを特徴とする請求項３に記載の流体性状判定装置。
【請求項５】
前記ポンプ（５１）を所定電流値または所定電圧値で運転するポンプ制御手段（１００）を更に備え、
前記回転検出手段（１００）は、前記ポンプ制御手段（１００）により前記ポンプ（５１）を前記所定電流値または前記所定電圧値で運転させたとき、前記温度取得手段（１００）により検出された加熱流体（ＨＭ）の温度が所定の第１温度である場合に、前記回転数を第１検出値として検出し、
前記回転検出手段（１００）は、前記ポンプ制御手段（１００）により前記ポンプ（５１）を前記所定電流値または前記所定電圧値で運転させたとき、前記温度取得手段（１００）により検出された加熱流体（ＨＭ）の温度が前記所定の第１温度とは異なる所定の第２温度である場合に、前記回転数を第２検出値として検出し、
前記判定手段（１００）は、前記第１検出値と前記第２検出値の差を前記所定の第１温度と前記所定の第２温度の差で除算して得られた変化率に基づき、前記情報を参照して、加熱流体（ＨＭ）の性状を判定することを特徴とする請求項１に記載の流体性状判定装置。
【請求項６】
前記ポンプ（５１）を所定電流値または所定電圧値で運転するポンプ制御手段（１００）を更に備え、
前記回転検出手段（１００）は、前記ポンプ制御手段（１００）により前記ポンプ（５１）を前記所定電流値または前記所定電圧値で運転させたとき、前記温度取得手段（１００）により検出された加熱流体（ＨＭ）の温度が所定の第１温度である場合に、前記回転数を第１検出値として検出し、
前記判定手段（１００）は、前記第１検出値と前記情報とを比較して加熱流体（ＨＭ）の第１性状を判定することを特徴とする請求項１に記載の流体性状判定装置。
【請求項７】
前記回転検出手段（１００）は、前記ポンプ制御手段（１００）により前記ポンプ（５１）を前記所定電流値または前記所定電圧値で運転させたとき、前記温度取得手段（１００）により検出された加熱流体（ＨＭ）の温度が前記所定の第１温度とは異なる所定の第２温度である場合に、前記回転数を第２検出値として検出し、
前記判定手段（１００）は、前記第２検出値と前記情報とを比較して加熱流体（ＨＭ）の第２性状を判定し、
前記判定手段（１００）は、前記第１性状と前記第２性状が一致する場合に、加熱流体（ＨＭ）の性状の判定が正しいと判定することを特徴とする請求項６に記載の流体性状判定装置。
【請求項８】
請求項１〜請求項７のいずれか一つに記載の流体性状判定装置と、
前記判定手段（１００）により判定された加熱流体（ＨＭ）の性状に基づき前記ポンプ制御手段（１００）を制御することにより、前記ポンプ（５１）による加熱流体（ＨＭ）の供給量を制御する供給量制御手段（１００）を更に備えることを特徴とする熱サイクル制御装置。
【請求項９】
請求項８に記載の熱サイクル制御装置と、
前記２次側熱交換器（５５、７５）に配管（５ｂ、５ｃ）を通じて接続され、前記ポンプ（５１）により循環される加熱流体（ＨＭ）と１次側サイクルを循環する１次側媒体（ＲＦ）とを熱交換して加熱流体（ＨＭ）を加熱する１次側熱交換器（２３、５３）と、
を備えることを特徴とする熱サイクル装置。
【請求項１０】
前記熱サイクル（５）を循環する加熱流体（ＨＭ）の温度を検出して前記温度取得手段（１００）に入力する温度検出手段（５９）と、
前記ポンプ（５１）と、
の少なくとも一つを更に備えることを特徴とする請求項９に記載の熱サイクル装置。
【発明の詳細な説明】
【技術分野】
【０００１】
本発明は、熱サイクルに用いられる流体性状判別装置、この流体性状判別装置を備える熱サイクル制御装置、およびこの熱サイクル制御装置を備える熱サイクル装置に関する。
【背景技術】
【０００２】
熱サイクルを備える装置の一例として特許文献１に開示された給湯装置（ヒートポンプ）が知られる。
【先行技術文献】
【特許文献】
【０００３】
【特許文献１】特開２００６−１３２８６５号公報
【発明の概要】
【発明が解決しようとする課題】
【０００４】
従来の給湯装置には、湯沸かし用のタンクと給水ポンプとが配管により接続され、給水ポンプで水を循環させて低温環境下での凍結を防止するものがある。この構成では、給水ポンプによる水の循環量が小さいと水が凍結する虞があり、一方で循環量が大きすぎると過大な量の水をタンクに供給してタンクで沸き上げた湯を冷ます懸念がある。
【０００５】
一般的な循環型熱サイクルにおいては、水で希釈した不凍液を用いて凍結を防止する方法がある。この際、不凍液の濃度が高いほど加熱流体の凍結温度が低くなる反面、加熱流体の熱伝導率が下がる。そのため不凍液の濃度を必要以上に高くすると、給湯装置の性能を低下させる懸念がある。このような背景から、給湯装置を設置する地域の販売店や施工業者が、その地域に応じて不凍液の濃度を適宜選択することがある。また給湯装置が家屋等に設置される際、給湯装置は下流の湯沸かし用タンク等へ配管を通じて接続される。この際、配管の長さは給湯装置の設置条件により異なる。
【０００６】
このような水と不凍液の混合物である加熱流体を用いる給湯装置において、例えば加熱流体を循環させるポンプの回転数や運転時間を所定値に設定し、加熱流体を循環させて凍結を防止する構成が考えられる。ここで加熱流体の粘性は、不凍液の濃度に応じて変化する。また給湯装置の設置条件により加熱流体を循環させる配管の長さが異なる。このように同一の構成を有する給湯装置であっても、ある一定の加熱流体の流量を得ようとする場合、加熱流体の性状および配管の長さにより、ポンプの運転条件は異なる。上述したようにポンプを一定の回転数で運転した場合、加熱流体の性状および配管の長さに応じて吐出流量が変化する。したがって、これらの条件を考慮せずに給水ポンプの回転数を所定値に設定して加熱流体を循環させると、加熱流体の循環不足による凍結あるいは循環過多による不具合が発生する。
【０００７】
あるいは給湯装置に流量計を追加して循環量を検出し、循環量が所定流量になるように給水ポンプの制御をおこなう構成が考えられる。しかしながら流量計の追加はコスト増加およびシステムの複雑化につながる。
【０００８】
本発明は上記の問題点に鑑みてなされたものであり、熱サイクルに用いられる加熱流体の性状を判別できる流体性状判別装置を提供することを目的とする。本発明は更に、この流体性状判別装置を備える熱サイクル制御装置、およびこの熱サイクル制御装置を備える熱サイクル装置を提供することを目的とする。
【課題を解決するための手段】
【０００９】
上記目的を達成するため、本発明の流体性状判定装置は、加熱流体（ＨＭ）を循環させるポンプ（５１）と、ポンプ（５１）が循環させる加熱流体（ＨＭ）と２次側媒体（ＨＷ）とを熱交換して２次側媒体（ＨＷ）を加熱する２次側熱交換器（５５、７５）と、を備える熱サイクル（５）に用いられる。流体性状判定装置は、熱サイクル（５）を循環する加熱流体（ＨＭ）の温度を取得する温度取得手段（１００）と、ポンプ（５１）の回転数を検出する回転検出手段（１００）と、を備える。流体性状判定装置は、ポンプ（５１）に印加される電圧値またはポンプ（５１）に供給される電流値を検出する電源検出手段（１００）と、上記の温度、上記の回転数、および上記の電圧値または上記の電流値に対応する加熱流体（ＨＭ）の性状を情報として予め記憶する記憶手段（１００ａ）と、を更に備える。流体性状判定装置は、温度取得手段（１００）により取得された温度、回転検出手段（１００）により検出された回転数、および電源検出手段（１００）により検出された電圧値または電流値に基づき、情報を参照して加熱流体（ＨＭ）の性状を判定する判定手段（１００）を更に備えることを特徴とする。
【００１０】
加熱流体の粘性は加熱流体の温度に応じて変化する。更に加熱流体の粘性は、加熱流体の性状、例えば加熱流体に含まれる不凍液の濃度に応じて変化する。加熱流体の温度が一定かつポンプの回転数が一定である場合、加熱流体の粘性が高くなるにしたがいポンプの運転に必要となるトルクが増加し、ポンプの電圧値または電流値が一意的に増加する。あるいは、加熱流体の温度が一定かつポンプの電圧値または電流値が一定である場合、加熱流体の粘性が高くなるにしたがい流体抵抗が増加するため、ポンプの回転数が一意的に減少する。このような傾向を考慮して、本発明によれば、加熱流体の温度、ポンプの回転数、およびポンプの電圧値またはポンプの電流値に基づき加熱流体の性状を判定することが可能となる。このようにして判定された加熱流体の性状に基づきポンプの運転条件を設定することにより、流量計を用いずとも熱サイクルを流通する加熱流体の流通量を一定にできるため、流通量の過不足による不具合の発生を回避できる。
【００１１】
なお、上記各手段に付した括弧内の符号は、後述する実施形態記載の具体的手段との対応関係を示す一例である。
【図面の簡単な説明】
【００１２】
【図１】本発明に係る給湯装置の構成を示す概略図である。
【図２】温度および不凍液の濃度に伴い変化する加熱流体の特性を示すグラフである。
【図３】第１実施形態に係る給湯装置の作動を示すフローチャートである。
【図４】第２実施形態に係る給湯装置の作動を示すフローチャートである。
【図５】不凍液の濃度および配管長の差異に伴い変化する加熱流体の特性の変化を示すグラフである。
【図６】所定の第１温度および所定の第２温度の温度範囲に対する加熱流体の特性の変化率を示すグラフである。
【図７】第３実施形態に係る給湯装置の作動を示すフローチャートである。
【図８】第４実施形態に係る給湯装置の作動を示すフローチャートである。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合わせることも可能である。
【００１４】
（第１実施形態）
第１実施形態に係る給湯装置１を図１〜図３を参照して説明する。図１において点線で示される本実施形態の給湯装置１は、冷媒（１次媒体）を循環させる冷凍サイクル２、加熱流体を循環させる加熱流体サイクル５の一部、および制御装置１００等により構成される。
【００１５】
冷凍サイクル２は、圧縮機２１、コイル２３、膨張弁２５、およびエバポレータ２７が配管２ａ，２ｂ，２ｃ，２ｄにより接続されて構成され、冷媒として例えばＣＯ２を矢印ＲＦで示されるように循環させる。コイル２３は加熱流体サイクル５のシェル５３に収容されて、所謂シェル＆コイル型熱交換器（１次側熱交換器）を構成する。１次側熱交換器は、加熱流体サイクル５を流通してシェル５３を通過する加熱流体と冷凍サイクル２を流通してコイル２３を通過する冷媒との熱交換を行う。
【００１６】
圧縮機２１は冷媒を圧縮してコイル２３へ供給する。圧縮機２１より供給される冷媒はコイル２３を通過する際、シェル５３を流通する加熱流体と熱交換して加熱流体を加熱する。膨張弁２５は、コイル２３より流出した冷媒を断熱膨張させる。エバポレータ２７は、膨張弁２５で断熱膨張した冷媒を外気と熱交換させて吸熱させて冷媒を蒸発させる。ファン３０は外気をエバポレータ２７へ送風し、外気と冷媒との熱交換を促す。
【００１７】
加熱流体サイクル５は、シェル５３、コイル５５、およびポンプ５１が配管５ａ、５ｂ、５ｃ，５ｄ，５ｅにより接続されて構成され、水と不凍液の混合物を加熱流体として矢印ＨＭで示されるように循環させる。コイル５５は後述の供給側機器を構成するシェル７５に収容されて、所謂シェル＆コイル型熱交換器（２次側熱交換器）を構成する。２次側熱交換器は、シェル７５を通過する温水（２次側媒体）と加熱流体サイクル５を流通してコイル５５を通過する加熱流体との熱交換を行う。
【００１８】
ポンプ５１は加熱流体を加熱流体サイクル５内で循環させる。ポンプ５１より供給される加熱流体はシェル５３を通過する際、コイル２３を流通する冷媒と熱交換して加熱される。シェル５３を通過して加熱された加熱流体はコイル５５を流通する際、シェル７５を通過する温水と熱交換して温水を加熱する。ポンプ５１とシェル５３を接続する配管５ｅには温度センサ５９が設置され、ポンプ５１により供給された加熱流体の温度を検出する。
【００１９】
加熱流体サイクル５を構成する機器のうちコイル５５は給湯装置１に含まれない。コイル５５はシェル７５とともに給湯装置１が設置される家屋等に設置される。この例においてコイル５５およびシェル７５により構成される２次側熱交換器は、例えば温水を蓄える温水タンクおよびポンプ等（図示せず）に配管７ａ，７ｂにより接続されて前述の供給側機器を構成する。２次側熱交換器は温水を加熱し、加熱した温水を温水タンクへ矢印ＨＷで示されるように供給する。この例では、２次側熱交換器により加熱された温水は温水タンクに蓄えられ、更に図示しない温調弁により水道からの冷水と混合されて温度調節された後、台所や風呂等に給湯される。
【００２０】
制御装置１００はマイクロプロセッサおよびＩ／Ｏインターフェース等により構成され、圧縮機２１のモータ、膨張弁２５のアクチュエータ、およびファン３０のモータに電気的に接続される。制御装置１００は圧縮機２１の容量、膨張弁２５の絞り量、およびファン３０の回転数を調節して冷凍サイクル２を流通する冷媒の温度を制御する。制御装置１００は更にポンプ５１および温度センサ５９に電気的に接続される。本実施形態の制御装置１００はポンプ５１へ供給される電力の電流値および電圧値を検出可能であり、またこれら電流値および電圧値の検出値に基づき電流値および電圧値を所定値に制御可能である。更に制御装置１００はポンプ５１の回転数を検出可能であり、またこの回転数の検出値に基づき回転数を所定値に制御可能である。
【００２１】
制御装置１００は、更に温度センサ５９により検出された加熱流体の温度を入力（取得）可能である。また制御装置１００は、フラッシュメモリ等の記憶媒体より構成される記憶ユニット１００ａを備え、上記した冷凍サイクル２および加熱流体サイクル５を構成する機器を制御するための運転条件を規定する制御パラメータ、および後述する不凍液の濃度を特定するためのデータマップ等を記憶する。
【００２２】
本実施形態に係る給湯装置１は、上述したように冷凍サイクル２および加熱流体サイクル５のうち点線で囲まれた機器により構成され、家屋等に設置される。給湯装置１は配管５ａ，５ｄにそれぞれ接続されたカプラ５ｆ，５ｇを有し、給湯装置１が家屋等に設置される際、家屋等にある２次側熱交換器にカプラ５ｈ，５ｉおよび配管（外部配管）５ｂ，５ｃを用いて接続される。この場合、給湯装置１と２次側熱交換器の位置関係および途中の障害物等に応じて配管５ｂ，５ｃの長さが決定する。給湯装置１と２次側熱交換器が配管５ａ，５ｂ，５ｃ，５ｄおよびカプラ５ｆ，５ｇ，５ｈ，５ｉにより接続された後、加熱流体サイクル５には加熱流体が充填される。
【００２３】
加熱流体は水と不凍液とを一定の割合で混合した混合物であり、不凍液は例えばプロピレングリコールおよび防錆剤等の混合物である。加熱流体においては、不凍液の濃度が高くなるほど加熱流体の凍結温度は低くなるがその反面、加熱流体の熱伝導率が下がる。そのため不凍液の濃度が必要以上に高くなると、給湯装置１の性能を低下させる懸念がある。このような背景から、加熱流体における水に対する不凍液の濃度は、給湯装置１の機種、設置される地域の気候条件等により決定される。
【００２４】
加熱流体の性状はこの不凍液の濃度に左右される。具体的には、不凍液の濃度が高いほど加熱流体の粘性が高くなる。更に不凍液の温度が低いほど加熱流体の粘性が高くなる。制御装置１００がポンプ５１を所定の回転数で運転する場合、加熱流体の粘性が高くなるにしたがいポンプ５１の駆動に必要なトルクが大きくなる。そのため加熱流体の粘性が高くなるにしたがいポンプ５１に供給される電流値またはポンプ５１に印加される電圧値が高くなる。
【００２５】
図２は、給湯装置１が家屋等の２次側熱交換器に配管長Ｌ１である配管５ｂ、５ｃを介して接続され、ポンプ５１を回転数Ｒ１１で運転した場合の特性を示す。ここで配管長Ｌ１とは、配管５ｂ、５ｃの総配管長である。具体的に図２は、加熱流体における水と不凍液の濃度がＡ％、Ｂ％，Ｃ％の例について、加熱流体の温度と、ポンプ５１に供給される電流値またはポンプ５１に印加される電圧値の関係を示す。不凍液の濃度に関わらず、加熱流体の温度が低くなるにしたがい加熱流体の粘性が高くなり、電流値または電圧値が高くなる。
【００２６】
加熱流体の温度がＴ１１である状態においてポンプ５１を所定回転数Ｒ１１で運転した場合、不凍液の濃度がＡ％、Ｂ％，Ｃ％の順に高くになるにしたがい加熱流体の粘性が高くなり、ポンプ５１の電流値または電圧値は大きくなる。つまりこの状態でポンプ５１の電流値または電圧値を検出することにより、不凍液の濃度を判定可能である。
【００２７】
制御装置１００は予め、不凍液の濃度Ａ％、Ｂ％，Ｃ％に対応させて、それぞれ加熱流体の粘性等の性状をデータマップ等の形式で記憶している。制御装置１００は更に、加熱流体の性状に応じたポンプ５１の回転数等の運転条件をデータマップ等の形式で記憶している。このため制御装置１００は、ポンプ５１の制御パラメータを判定した不凍液の濃度に応じて設定することにより、ポンプ５１の運転条件を変更可能である。
【００２８】
次に、本実施形態に係る不凍液の濃度判定および運転条件の変更について図３を参照して説明する。制御装置１００は、給湯装置１の運転中、図３に示す処理を一定周期で実行する。まずＳ１０１で、制御装置１００は加熱流体の温度が所定温度Ｔ１１であるかを判断する。Ｓ１０１で加熱流体の温度が所定温度Ｔ１１であると判断された場合（ＹＥＳ）、Ｓ１０３で制御装置１００は、ポンプ５１を所定回転数Ｒ１１で運転する。次にＳ１０５で制御装置１００は、ポンプ５１に供給される電流値Ｉ１１またはポンプ５１に印加される電圧値Ｖ１１を検出する。
【００２９】
次にＳ１０７で制御装置１００は、電流値Ｉ１１または電圧値Ｖ１１が、所定値ＴＨ１１以上であり所定値ＴＨ１２以下であるかを判定する。Ｓ１０７で、電流値Ｉ１１または電圧値Ｖ１１が所定値ＴＨ１１以上であり所定値ＴＨ１２以下であり肯定的判定がなされた場合（ＹＥＳ）、Ｓ１０９で不凍液の濃度はＡ％と判定される。
【００３０】
Ｓ１０７で否定的判定がなされた場合（ＮＯ）、Ｓ１１１で制御装置１００は、電流値Ｉ１１または電圧値Ｖ１１が、所定値ＴＨ１２より高く所定値ＴＨ１３以下であるかを判定する。Ｓ１１１で肯定的判定がなされた場合（ＹＥＳ）、Ｓ１１３で不凍液の濃度はＢ％と判定される。Ｓ１１１で否定的判定がなされた場合（ＮＯ）、Ｓ１１５で制御装置１００は、電流値Ｉ１１または電圧値Ｖ１１が、所定値ＴＨ１３より高く所定値ＴＨ１４以下であるかを判定する。Ｓ１１５で肯定的判定がなされた場合（ＹＥＳ）、Ｓ１１７で不凍液の濃度はＣ％と判定される。
【００３１】
上記のようにＳ１０７，Ｓ１１１，Ｓ１１５のいずれかで肯定的判定がなされた場合、制御装置１００はＳ１１９で、対応するＳ１０９，Ｓ１１３，Ｓ１１７において判定された不凍液の濃度Ａ％，Ｂ％，Ｃ％に基づき、ポンプ５１の制御パラメータを変更して処理を終了する。具体的に制御装置１００は、判定した不凍液の濃度に対応するポンプ５１の回転数を、データマップ等を参照して設定する。一方Ｓ１１５で否定的に判定された場合（ＮＯ）、制御装置１００はポンプ５１の制御パラメータを変更せず処理を終了する。制御装置１００は、このようにして設定された制御パラメータに基づきポンプ５１を運転して加熱流体サイクル５の加熱流体を循環させ、加熱流体サイクル５の凍結を防止する。
【００３２】
上述したように本実施形態では、制御装置１００はポンプ５１を所定回転数Ｒ１１で運転する。制御装置１００は更に、ポンプ５１を所定回転数Ｒ１１で運転させたとき、温度センサ５９により検出された加熱流体の温度がＴ１１（所定の第１温度）である場合に、電流値Ｉ１１または電圧値Ｖ１１を第１検出値として検出する。制御装置１００は更に、第１検出値と記憶ユニット１００ａに予め記憶される情報ＴＨ１１，ＴＨ１２，ＴＨ１３、ＴＨ１４とを比較して不凍液の濃度（加熱流体の第１性状）を判定する。この構成では、加熱流体の流量を検出するための流量計を用いずに、加熱流体の性状、具体的には不凍液の濃度を判定可能である。
【００３３】
本実施形態では更に、制御装置１００により判定された加熱流体の性状に基づきポンプ５１による加熱流体の供給量を制御する。この構成では、判定した加熱流体の性状、具体的には不凍液の濃度に応じたポンプ５１の運転条件、具体的には制御パラメータの一つである回転数を設定可能である。従って、加熱流体の供給不足による凍結あるいは供給過多による不具合を回避可能となる。
【００３４】
本実施形態の給湯装置１は、２次側熱交換器に配管５ｂ、５ｃを通じて接続され、ポンプ５１により循環される加熱流体と冷凍サイクル（１次側サイクル）を循環する冷媒（１次側媒体）とを熱交換して加熱流体を加熱する１次側熱交換器を備える。給湯装置１は更に、加熱流体サイクル５を循環する加熱流体の温度を検出して制御装置１００に入力する温度センサ（温度検出手段）５９を備える。給湯装置１は更にポンプ５１を備える。このようにして、給湯装置１は加熱流体サイクルを構成する主要な機器を一体化して構成される。
【００３５】
上述の例においては説明を簡略化するため、電流値Ｉ１１または電圧値Ｖ１１を所定値ＴＨ１１、ＴＨ１２、ＴＨ１３、ＴＨ１４と比較したが、実際には電流値Ｉ１１と電圧値Ｖ１１のそれぞれに対応する異なった所定値ＴＨ１１、ＴＨ１２、ＴＨ１３、ＴＨ１４が設定される。
【００３６】
上述の所定温度Ｔ１１は、給湯装置１の運転条件がほぼ一定であれば、特定の固定値でもよい。ただし上述したように制御装置１００は、給湯装置１の運転中、図３に示す処理を一定周期で実行する。この際、給湯装置１は加熱流体を加熱して循環させて温水を加熱し、加熱した温水を供給する。通常、加熱流体の温度は、供給する温水の温度と供給量、および冷凍サイクル２の運転条件等により、ある程度成り行きで変化する。このため、所定温度Ｔ１１が特定の固定値であれば、給湯装置１の運転中に、加熱流体の温度が所定温度Ｔ１１とはならず、図３の処理を開始する条件が成立しない可能性がある。
【００３７】
このような事態を考慮し、制御装置１００の記憶ユニット１００ａは、所定温度Ｔ１１として複数の所定値を記憶してもよい。この場合、制御装置１００は、加熱流体の温度がこの複数の所定値のいずれかと同一になった場合、Ｓ１０１で肯定的判断を行いＳ１０３以降と同様の処理を実行する。更にこの場合、検出される電流値または電圧値は、Ｓ１０１で用いられる所定温度Ｔ１１に応じて変化する。したがって制御装置１００は、所定温度Ｔ１１として記憶される複数の所定値に応じて、上記の所定値ＴＨ１１，ＴＨ１２、ＴＨ１３、ＴＨ１４のそれぞれに対応する異なる値を設定する。
【００３８】
なお制御装置１００の記憶ユニット１００ａが所定温度Ｔ１１として複数の所定値を記憶する場合、制御装置１００は、加熱流体の温度がこの複数の所定値のそれぞれと同一になった場合、つまり複数の温度条件において濃度の判定を行ってもよい。この場合、複数の温度条件において濃度の判定結果が一致した場合にはその判定結果の妥当性が高いと考えられるため、その判定結果に応じた濃度に合わせ制御パラメータを設定してもよい。
【００３９】
この場合、例えば所定温度Ｔ１１として２つの所定値を記憶する条件においては次のようになる。上記の第１検出値に加え、制御装置１００は更に、ポンプ５１を所定回転数Ｒ１１で運転させたとき、検出された加熱流体の温度が上記のＴ１１（所定の第１温度）とは異なるＴ１２（所定の第２温度）である場合に、電流値Ｉ１２または電圧値Ｖ１２を第２検出値として検出する。制御装置１００は、第２検出値と記憶ユニット１００ａに記憶される情報とを比較して加熱流体の不凍液の濃度（第２性状）を判定する。制御装置１００は、上記の第１性状と第２性状が一致する場合に、加熱流体の性状の判定が正しいと判定する。このような構成では、濃度の誤判定に起因するパラメータの誤設定を回避できる。
【００４０】
このように、所定温度は固定値でも複数の所定値のうちの一つでも良く、また複数の温度条件のうち一つあるいは複数の判定結果に基づき制御パラメータを設定してもよい構成は、後述する実施形態でも同様である。
【００４１】
（第２実施形態）
上述した第１実施形態では、ポンプ５１を所定回転数で運転した状態で、ポンプ５１に供給する電流値またはポンプ５１に印加する電圧値に基づき不凍液の濃度を判定した。次に説明する第２実施形態では、電流値または電圧値が一定の状態で、ポンプ５１を運転した場合の回転数に基づき不凍液の濃度を判定する。本実施形態では、電流値または電圧値が一定の状態で、不凍液の濃度がＡ％，Ｂ％，Ｃ％と高くなるにしたがい、不凍液の粘性が高くなりポンプ５１に作用する粘性抵抗が増加するため、ポンプ５１の回転数は減少する。
【００４２】
次に、本実施形態に係る不凍液の濃度判定および運転条件の変更について説明する。制御装置１００は、図４に示す処理を一定周期で実行する。まずＳ２０１で、制御装置１００は加熱流体の温度が所定温度Ｔ１１であるかを判断する。Ｓ２０１で加熱流体の温度が所定温度Ｔ１１であると判断された場合（ＹＥＳ）、Ｓ２０３で制御装置１００は、ポンプ５１のモータに所定の電流値Ｉ１１を供給またはポンプ５１のモータに所定の電圧値Ｖ１１を印加してポンプ５１を運転する。次にＳ２０５で制御装置１００は、ポンプ５１の回転数Ｒ１１を検出する。
【００４３】
次にＳ２０７で制御装置１００は、ポンプ５１の回転数Ｒ１１が、所定値ＴＨ２１以上であり所定値ＴＨ２２以下であるかを判定する。Ｓ２０７で肯定的判定がなされた場合（ＹＥＳ）、Ｓ２０９で不凍液の濃度はＣ％と判定される。Ｓ２０７で否定的判定がなされた場合（ＮＯ）、Ｓ２１１で制御装置１００は、ポンプ５１の回転数Ｒ１１が、所定値ＴＨ２２より高く所定値ＴＨ２３以下であるかを判定する。Ｓ２１１で肯定的判定がなされた場合（ＹＥＳ）、Ｓ２１３で不凍液の濃度はＢ％と判定される。Ｓ２１１で否定的判定がなされた場合（ＮＯ）、Ｓ２１５で制御装置１００は、ポンプ５１の回転数Ｒ１１が、所定値ＴＨ２３より高く所定値ＴＨ２４以下であるかを判定する。Ｓ２１５で肯定的判定がなされた場合（ＹＥＳ）、Ｓ２１７で不凍液の濃度はＡ％と判定される。
【００４４】
上記のように、Ｓ２０７，Ｓ２１１，Ｓ２１５のいずれかで肯定的判定がなされた場合、制御装置１００はＳ２１９で、Ｓ２０９，Ｓ２１３，Ｓ２１７において判定された不凍液の濃度Ｃ％，Ｂ％，Ａ％に基づき、ポンプ５１の制御パラメータを変更して処理を終了する。一方、Ｓ２１５で否定的に判定された場合（ＮＯ）、制御装置１００はポンプ５１の制御パラメータを変更せず処理を終了する。制御装置１００は、このようにして設定された制御パラメータに基づきポンプ５１を運転して加熱流体サイクル５の加熱流体を循環させ、加熱流体サイクル５の凍結を防止する。第２実施形態の構成でも、加熱流体の流量を検出するための流量計を用いずに、加熱流体における不凍液の濃度に応じたポンプ５１の運転条件を設定可能である。従って、加熱流体の供給不足による凍結あるいは供給過多による不具合を回避可能となる。
【００４５】
本実施形態では、制御装置１００はポンプ５１を所定電流値Ｉ１１または所定電圧値Ｖ１１で運転する。制御装置１００は更に、ポンプ５１を所定電流値Ｉ１１または所定電圧値Ｖ１１で運転させたとき、検出された加熱流体の温度がＴ１１（所定の第１温度）である場合に、回転数Ｒ１１を第１検出値として検出する。制御装置１００は更に、第１検出値と記憶ユニット１００ａに記憶される情報ＴＨ２１，ＴＨ２２，ＴＨ２３、ＴＨ２４とを比較して不凍液の濃度（加熱流体の第１性状）を判定する。
【００４６】
あるいは第１実施形態と同様に、例えば所定温度Ｔ１１として２つの所定値を記憶する条件においては次のようになる。制御装置１００は更に、ポンプ５１を所定電流値Ｉ１１または所定電圧値Ｖ１１で運転させたとき、検出された加熱流体の温度がＴ１１（所定の第１温度）とは異なるＴ１２（所定の第２温度）である場合に、ポンプ５１の回転数Ｒ１２を第２検出値として検出する。制御装置１００は更に、第２検出値と記憶ユニット１００ａに記憶される情報とを比較して加熱流体の不凍液の濃度（第２性状）を判定する。制御装置１００は更に、第１性状と第２性状が一致する場合に、加熱流体の性状の判定が正しいと判定する。このような構成では、濃度の誤判定に起因するパラメータの誤設定を回避できる。
【００４７】
（第３実施形態）
上述した第１実施形態では、１点の所定の温度Ｔ１１においてポンプ５１を所定回転数Ｒ１１で運転した状態で、ポンプ５１に供給する電流値またはポンプ５１に印加する電圧値に基づき不凍液の濃度を判定した。あるいは判定の精度を向上させるため、所定の温度Ｔ１１における判定結果と、所定の温度Ｔ１１とは別の温度における判定結果とが一致する場合に、加熱流体の性状の判定が正しいと判定した。
【００４８】
上述したように、給湯装置１が家屋等に設置され、給湯装置１と家屋等にある２次側熱交換器が配管（外部配管）５ｂ、５ｃおよびカプラ５ｆ，５ｇ，５ｈ，５ｉを用いて接続された場合、給湯装置１と２次側熱交換器の位置関係および途中の障害物等に応じて配管５ｂ、５ｃの長さが決定する。つまり、給湯装置１の設置条件によっては配管５ｂ、５ｃの長さが変化する。第１実施形態では配管５ｂ、５ｃの配管長がＬ１であったが、この配管５ｂ、５ｃの配管長が例えばＬ１より長いＬ２である場合、配管５ｂ、５ｃにより生ずる圧力損失が第１実施形態の場合と比較して増加する。
【００４９】
このため図５に示すように、不凍液の濃度がＢ％でありポンプ５１を所定回転数Ｒ１１で運転した条件での電流値または電圧値は、配管長がＬ２である場合（太線）において、配管長がＬ１である場合（点線）よりも高くなる。ここで不凍液の濃度がＣ％であり配管５ｂ、５ｃの長さがＬ１である場合と、不凍液の濃度がＢ％であり配管５ｂ、５ｃの長さがＬ２である場合とでは、温度Ｔ１１において同一の電流値または電圧値となり、不凍液の濃度を電流値または電圧値に基づき判定できない事態が想定される。
【００５０】
ただし図６に示すように、配管長Ｌ２の場合に不凍液の濃度がＢ％である条件では、加熱流体の温度がＴ１１である状態での電流値または電圧値と、温度がＴ１２である状態での電流値または電圧値との変化率（傾き）はＢである。また配管長Ｌ１の場合に不凍液の濃度がＣ％である条件では、同変化率はＣである。つまり、温度Ｔ１１と温度Ｔ１２との温度範囲に対する電流値または電圧値の変化率は、不凍液の濃度がＢ％である場合とＣ％である場合とで異なる。つまりポンプ５１を所定回転数Ｒ１１で運転し、加熱流体の温度がＴ１１である状態と温度がＴ１２である状態とにおいて電流値または電圧値をそれぞれ検出してこれら検出値の変化率を得ることにより、不凍液の濃度を判定可能である。
【００５１】
次に、本実施形態に係る不凍液の濃度判定および運転条件の変更について説明する。制御装置１００は、図７に示す処理を一定周期で実行する。まずＳ３１１で、制御装置１００は加熱流体の温度が所定温度Ｔ１１であるかを判断する。Ｓ３１１で加熱流体の温度が所定温度Ｔ１１であると判断された場合（ＹＥＳ）、Ｓ３１３で制御装置１００は、ポンプ５１を所定回転数Ｒ１１で運転する。次にＳ３１５で制御装置１００は、ポンプ５１に供給される電流値Ｉ１１またはポンプ５１に印加される電圧値Ｖ１１を検出する。
【００５２】
次にＳ３１７で制御装置１００は、加熱流体の温度が、上記所定温度Ｔ１１とは異なる所定温度Ｔ１２であるかを判断する。この所定温度Ｔ１２は、所定温度Ｔ１１より十分に離れた値に設定される。具体的に、所定温度Ｔ１１における電流値または電圧値と、所定温度Ｔ１２における電流値または電圧値との間に、不凍液の濃度が判別できる程度に十分な差異が発生するよう、所定温度Ｔ１２は所定温度Ｔ１１より十分に離れた値に設定される。Ｓ３１７で加熱流体の温度が所定温度Ｔ１２であると判断された場合、Ｓ３２１で制御装置１００は、ポンプ５１に供給される電流値Ｉ１２またはポンプ５１に印加される電圧値Ｖ１２を検出する。次にＳ３２３で、制御装置１００は温度領域（Ｔ１１〜Ｔ１２）における電流値（Ｉ１１〜Ｉ１２）の変化率ＩＣ１１、または電圧値（Ｖ１１〜Ｖ１２）の変化率ＶＣ１１を算出する。具体的に制御装置１００は、電流値Ｉ１２と電流値Ｉ１１の差を所定温度Ｔ１２と所定温度Ｔ１１の差で除算して得られた値を変化率ＩＣ１１として算出する。あるいは、制御装置１００は、電圧値Ｖ１２と電圧値Ｖ１１の差を所定温度Ｔ１２と所定温度Ｔ１１の差で除算して得られた値を変化率ＶＣ１１として算出する。
【００５３】
ＩＣ１１＝（Ｉ１２−Ｉ１１）／（Ｔ１２−Ｔ１１）                    （１）
ＶＣ１１＝（Ｖ１２−Ｖ１１）／（Ｔ１２−Ｔ１１）                    （２）
次にＳ３２５で制御装置１００は、電流値の変化率ＩＣ１１または電圧値の変化率ＶＣ１１が、所定値ＴＨ３１以上であり所定値ＴＨ３２以下であるかを判定する。Ｓ３２５で肯定的判定がなされた場合（ＹＥＳ）、Ｓ３２７で不凍液の濃度はＡ％と判定される。Ｓ３２５で否定的判定がなされた場合（ＮＯ）、Ｓ３２９で制御装置１００は、電流値の変化率ＩＣ１１または電圧値の変化率ＶＣ１１が、所定値ＴＨ３２より高く所定値ＴＨ３３以下であるかを判定する。Ｓ３２９で肯定的判定がなされた場合（ＹＥＳ）、Ｓ３３１で不凍液の濃度はＢ％と判定される。Ｓ３２９で否定的判定がなされた場合（ＮＯ）、Ｓ３３３で制御装置１００は、電流値の変化率ＩＣ１１または電圧値の変化率ＶＣ１１が、所定値ＴＨ３３より高く所定値ＴＨ３４以下であるかを判定する。Ｓ３３３で肯定的判定がなされた場合（ＹＥＳ）、Ｓ３３５で不凍液の濃度はＣ％と判定される。
【００５４】
上記のように、Ｓ３２５，Ｓ３２９，Ｓ３３３のいずれかで肯定的判定がなされた場合、制御装置１００はＳ３３７で、Ｓ３２７，Ｓ３３１，Ｓ３３５において判定された不凍液の濃度Ａ％，Ｂ％，Ｃ％に応じた性状に基づき、ポンプ５１の制御パラメータを変更して処理を終了する。一方、Ｓ３３３で否定的に判定された場合（ＮＯ）、制御装置１００はポンプ５１の制御パラメータを変更せず処理を終了する。
【００５５】
上述の如く、配管５ｂ、５ｃの長さが異なる場合には、不凍液の濃度が異なるにも関わらず、１点の温度Ｔ１１において同一の電流値または電圧値が発生する場合が想定される。これを考慮し本実施形態では、加熱流体の温度がＴ１１、Ｔ１２の２点でポンプ５１を所定回転数Ｒ１１で運転し、電流値または電圧値を検出してこれらの変化率を得る。
【００５６】
具体的に制御装置１００は、第１実施形態と同様、ポンプ５１を所定回転数Ｒ１１で運転させたとき、検出された加熱流体の温度がＴ１１（所定の第１温度）である場合に、電流値または電圧値を第１検出値として検出する。本実施形態において、制御装置１００は更に、ポンプ５１を所定回転数Ｒ１１で運転させたとき、検出された加熱流体の温度が所定の第１温度とは異なるＴ１２（所定の第２温度）である場合に、電流値Ｉ１２または電圧値Ｖ１２を第２検出値として検出する。制御装置１００は更に、第１検出値と第２検出値の差を所定の第１温度と所定の第２温度の差で除算して得られた変化率に基づき、記憶ユニットに記憶される情報を参照して、不凍液の濃度（加熱流体の性状）を判定する。このような構成により、配管長が異なる場合においても不凍液の濃度が判定可能となる。
【００５７】
（第４実施形態）
上述した第３実施形態では、加熱流体の温度がＴ１１、Ｔ１２の２点でポンプ５１を所定回転数Ｒ１１で運転し、電流値または電圧値を検出してこれらの変化率を得た。本実施形態では、加熱流体の温度がＴ１１、Ｔ１２の２点でポンプ５１を所定電流値または所定電圧値で運転し、ポンプ５１の回転数をそれぞれ検出してこれら検出値の変化率を得る。次に、本実施形態に係る不凍液の濃度判定および運転条件の変更について説明する。制御装置１００は、図８に示す処理を一定周期で実行する。
【００５８】
まずＳ４１１で、制御装置１００は加熱流体の温度が所定温度Ｔ１１であるかを判断する。Ｓ４１１で加熱流体の温度が所定温度Ｔ１１であると判断された場合（ＹＥＳ）、Ｓ４１３で制御装置１００は、ポンプ５１に所定の電流値Ｉ１１を供給し、またはポンプ５１に所定の電圧値Ｖ１１を印加してポンプ５１を運転する。次にＳ４１５で制御装置１００は、ポンプ５１の回転数Ｒ１１を検出する。次にＳ４１７で制御装置１００は、加熱流体の温度が、上記所定温度Ｔ１１とは異なる所定温度Ｔ１２であるかを判断する。Ｓ４１７で加熱流体の温度が所定温度Ｔ１２であると判断された場合、Ｓ４２１で制御装置１００は、ポンプ５１の回転数Ｒ１２を検出する。
【００５９】
次にＳ４２３で制御装置１００は、温度領域（Ｔ１１〜Ｔ１２）における回転数（Ｒ１１〜Ｒ１２）の変化率ＲＣ１１を算出する。具体的に制御装置１００は、回転数Ｒ１２と回転数Ｒ１１の差を所定温度Ｔ１２と所定温度Ｔ１１の差で除算して得られた値を変化率ＲＣ１１として算出する。
【００６０】
ＲＣ１１＝（Ｒ１２−Ｒ１１）／（Ｔ１２−Ｔ１１）                    （３）
次にＳ４２５で制御装置１００は、回転数の変化率ＲＣ１１が所定値ＴＨ４１以上であり所定値ＴＨ４２以下であるかを判定する。Ｓ４２５で肯定的判定がなされた場合（ＹＥＳ）、Ｓ４２７で不凍液の濃度はＣ％と判定される。Ｓ４２５で否定的判定がなされた場合（ＮＯ）、Ｓ４２９で制御装置１００は、回転数の変化率ＲＣ１１が所定値ＴＨ４２より高く所定値ＴＨ４３以下であるかを判定する。Ｓ４２９で肯定的判定がなされた場合（ＹＥＳ）、Ｓ４３１で不凍液の濃度はＢ％と判定される。Ｓ４２９で否定的判定がなされた場合（ＮＯ）、Ｓ４３３で制御装置１００は、回転数の変化率ＲＣ１１が所定値ＴＨ４３より高く所定値ＴＨ４４以下であるかを判定する。Ｓ４３３で肯定的判定がなされた場合（ＹＥＳ）、Ｓ４３５で不凍液の濃度はＡ％と判定される。
【００６１】
上記のように、Ｓ４２５，Ｓ４２９，Ｓ４３３のいずれかで肯定的判定がなされた場合、制御装置１００はＳ４３７で、Ｓ４２７，Ｓ４３１，Ｓ４３５において判定された不凍液の濃度Ｃ％，Ｂ％，Ａ％に応じた性状に基づき、ポンプ５１の制御パラメータを変更して処理を終了する。一方、Ｓ４３３で否定的に判定された場合（ＮＯ）、制御装置１００はポンプ５１の制御パラメータを変更せず、処理を終了する。
【００６２】
本実施形態において制御装置１００は、第２実施形態と同様、ポンプ５１を所定電流値Ｉ１１または所定電圧値Ｖ１１で運転させたとき、検出された加熱流体の温度がＴ１１（所定の第１温度）である場合に、回転数Ｒ１１を第１検出値として検出する。制御装置１００は更に、ポンプ５１を所定電流値Ｉ１１または所定電圧値Ｖ１１で運転させたとき、検出された加熱流体の温度が所定の第１温度とは異なるＴ１２（所定の第２温度）である場合に、ポンプ５１の回転数Ｒ１２を第２検出値として検出する。制御装置１００は更に、第１検出値と第２検出値の差を所定の第１温度と所定の第２温度の差で除算して得られた変化率に基づき、記憶ユニットに記憶される情報を参照して、不凍液の濃度（加熱流体の性状）を判定する。本実施形態の構成でも、配管長が異なる場合においても不凍液の濃度が判定可能となる。
【００６３】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００６４】
上記実施形態において、制御装置１００は図３、図４、図７、図８に示す処理を一定の周期で実行したが、これに限らない。制御装置１００は図３、図４、図７、図８に示す上記処理を、給湯装置が設置され運転を開始した際に実行してもよい。具体的に、給湯装置１が家屋等に設置された後に、加熱流体が充填されて試運転のために通電された際に、制御装置１００は上記処理を実行してもよい。
【００６５】
給湯装置は上記処理を実行させるためのスイッチ、例えば押しボタンを供えてもよい。この場合、給湯装置に通電された状態でユーザが適宜押しボタンを操作して上記の処理を実行してもよい。また押しボタンが操作されることにより、上記処理を一回だけ実施してもよく、あるいは上記処理を上記実施形態のように一定周期で実施してもよい。
【００６６】
この一定周期を例えば１秒〜数分と短く設定することにより、濃度判定および制御パラメータを頻繁に実施してもよい。あるいはこの一定周期を例えば１２時間として、運転条件が大きく変化する昼間と夜間に上記処理を実行してもよい。あるいはこの一定周期を例えば３ヶ月間として、季節毎に上記処理を実行してもよい。あるいはこの一定周期を例えば１年〜数年として、上記処理を実行してもよい。この場合、濃度判定および制御パラメータを頻繁に変更しない構成となる。
【００６７】
また不凍液の濃度判定を給湯装置の試運転時に一度だけ行う前提でも、後述するように、経年に伴う加熱流体の性状の変化がポンプ５１の運転条件に大きな影響を及ぼすと判断される場合には、例えば給湯装置１の設置より２年後および４年後に不凍液の濃度判定を行いポンプ５１の制御パラメータを再設定しても良い。
【００６８】
上記第３および第４実施形態において、制御装置１００は不凍液の濃度を、所定温度Ｔ１１，Ｔ１２におけるそれぞれの電流値あるいは電圧値の間の変化率、または所定温度Ｔ１１，Ｔ１２におけるそれぞれの回転数の間の変化率に基づき判定したが、これに限らない。制御装置１００は不凍液の濃度を、所定温度Ｔ１１，Ｔ１２におけるそれぞれのポンプ５１の電流値あるいは電圧値の絶対値に基づき、例えばデータマップを参照して判定しても良い。同様に制御装置１００は不凍液の濃度を、所定温度Ｔ１１，Ｔ１２におけるそれぞれのポンプ５１の回転数に基づき、例えばデータマップを参照して判定しても良い。
【００６９】
上記実施形態において、給湯装置１はポンプ５１および温度センサ５９を備えたが、これに限らない。給湯装置１はポンプ５１または温度センサ５９を備えなくてもよい。上述のように給湯装置が家屋等に設置されて供給先機器（第２熱交換器等）に配管５ｂ，５ｃで接続される場合、ポンプ５１および温度センサ５９の少なくとも一方は、供給先機器および配管５ｂ，５ｃに設置されてもよい。あるいは、給湯装置はポンプ５１および温度センサ５９を備えず、代わりに供給先機器がポンプ５１および温度センサ５９を備えてもよい。このような構成では、例えば供給先機器および配管５ｂ，５ｃにポンプ５１および温度センサ５９が予め設置されている場合、それらポンプ５１および温度センサ５９を給湯装置１が有効に活用できる。
【００７０】
上記第３および第４実施形態において、温度Ｔ１１，Ｔ１２の２点の検出値より変化率を得て不凍液の濃度を判定したが、これに限らない。検出値を３点以上の温度で得てそれらより変化率を得ても良い。あるいは検出値を３点以上の温度で得て、それら検出値より例えばデータマップを参照することにより不凍液の濃度を判定しても良い。
【００７１】
上述の如く給湯装置１が家屋等に設置された際には、不凍液の濃度が所定の濃度となるように不凍液を水で希釈して得られた加熱流体を給湯装置および供給側機器に充填する。ただし加熱流体の経年劣化や蒸発により、不凍液の濃度や加熱流体の性状が年月を経て変化する。通常、例えば数年ごとに、給湯装置および供給側機器より加熱流体を抜き出して再充填する。ただしその再充填までの期間は、加熱流体の性状が変化してポンプ５１の制御パラメータの再設定が必要となる。
【００７２】
このような背景を考慮し、加熱流体の性状の変化に関する情報を年月に応じて予め記憶ユニットに記憶させてもよい。この場合、上記第１〜第４実施形態の処理において不凍液の濃度を判定してポンプ５１のパラメータを設定する際、この加熱流体の性状の変化を考慮して設定してもよい。例えば、経年に伴い水が蒸発して不凍液の濃度が増加するに伴い、加熱流体の粘性が増加することが想定される。更にこの粘性の増加に伴いポンプ５１の回転数の設定値を高く設定する構成が考えられる。具体的に、給湯装置１を設置してから例えば２年後および４年後に想定される、水の蒸発に伴う不凍液の濃度増加に対応した係数１および係数２（１．０＜係数１＜係数２）を設定し、予め記憶ユニット１００ａに記憶させてもよい。この場合、給湯装置１の設置より例えば２年後および４年後に、制御装置１００は、ポンプ５１の制御パラメータである回転数に対して係数１および係数２をそれぞれ乗算する。このようにして制御装置１００は、加熱流体の粘性の増加に伴いポンプ５１の回転数の設定値を高く設定してもよい。
【００７３】
上記実施形態において、コイル２３はシェル５３に含まれ、コイル５５はシェル７５に含まれ、それぞれシェル＆コイル型熱交換器を構成する例を示したが、これに限らない。これらの熱交換器は、所謂シェル＆チューブ型熱交換器を構成してもよい。あるいは、これらの熱交換器は所謂フィン＆チューブ型熱交換器を構成してもよい。この場合、冷凍サイクル２を構成するチューブと加熱流体サイクルを構成するチューブとがフィンで結合されて一体化され、また加熱流体サイクルを構成するチューブと供給先機器を構成するチューブとがフィンで結合されて一体化され、それぞれファンにより通気されて熱交換を行う構成としてもよい。
【００７４】
上記実施形態において、判定の対象である不凍液の濃度がＡ％、Ｂ％，Ｃ％の３種類である例について説明したが、これに限らない。判定の対象である不凍液の濃度は２種類でもよく、４種類以上でも良い。
【００７５】
上記実施形態で、回転数、加熱流体の温度、電流値、電圧値、変化率、加熱流体の濃度等に変数を用いて説明した。異なる実施形態間において同一の変数（Ｒ１１等）が用いられる場合があったが、異なる実施形態間において同一の変数の値が同一であってもよく、あるいは異なってもよい。
【００７６】
なお上記複数の実施形態において、加熱流体サイクル５は熱サイクルを提供する。また制御装置１００は、温度取得手段、回転検出手段、電源検出手段、判定手段、ポンプ制御手段、供給量制御手段、および流体性状判定装置を提供する。温度センサ５９は、温度検出手段を提供する。記憶ユニット１００ａは、記憶手段を提供する。流体性状判定装置および供給量制御手段は、熱サイクル制御装置を提供する。熱サイクル制御装置および１次側熱交換器は、熱サイクル装置を提供する。
【符号の説明】
【００７７】
１００…制御装置（温度取得手段、回転検出手段、電源検出手段、判定手段、ポンプ制御手段、供給量制御手段）、１００ａ…記憶ユニット（記憶手段）
５９…温度センサ（温度検出手段）、５１…ポンプ
５…加熱流体サイクル（熱サイクル）、２…冷凍サイクル（１次側サイクル）
【図１】
2014126294.tif 000003
【図２】
2014126294.tif 000004
【図３】
2014126294.tif 000005
【図４】
2014126294.tif 000006
【図５】
2014126294.tif 000007
【図６】
2014126294.tif 000008
【図７】
2014126294.tif 000009
【図８】
2014126294.tif 000010